【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
１分子中に２個以上のエポキシ基を含有する少なくとも１種のエポキシ樹脂を含む、第
１液Ａ、および
少なくとも１種のチオール硬化剤を含む、第２液Ｂ
を含み、ここで、-Ｏ-Ｏ-構造を含有する少なくとも１種の過酸化物が、液Ａ、液Ｂおよ
び／または別個の第３液Ｃ中に含まれる、少なくとも２つの液を含むエポキシ接着剤。
【請求項２】
液の１つが、少なくとも１種の硬化促進剤をさらに含む、請求項１に記載のエポキシ接
着剤。
【請求項３】
過酸化物は、Ｒ１-Ｏ-Ｏ-Ｒ２［式中、Ｒ１およびＲ２はそれぞれ独立して、水素原子
、１〜１０個の炭素原子のアルキル基および１個以上のフェニル基を含む芳香族基から選
択され、場合により、Ｒ１、Ｒ２および-Ｏ-Ｏ-の間にカルボニル基が存在する］で表さ
れる式を有する、請求項１または２に記載のエポキシ接着剤。
【請求項４】
チオール硬化剤は、１分子中に１個以上の-Ｒ３-ＳＨ基［Ｒ３は、２〜１６個の炭素原
子を含むアルキレン基、または、芳香族基である］を含有する、請求項１〜３のいずれか
に記載のエポキシ接着剤。
【請求項５】
液の１つが、カップリング剤として少なくとも１種のシランをさらに含有する、請求項
１〜４のいずれかに記載のエポキシ接着剤。
【請求項６】
液の１つが、少なくとも１種のチキソトロピー剤をさらに含有する、請求項１〜５のい
ずれかに記載のエポキシ接着剤。
【請求項７】
液の１つが、少なくとも１種のフィラーをさらに含有する、請求項１〜６のいずれかに
記載のエポキシ接着剤。
【請求項８】
液の１つが、少なくとも１種の強化剤をさらに含有する、請求項１〜７のいずれかに記
載のエポキシ接着剤。
【請求項９】
第１液Ａは、１分子中に２個以上のエポキシ基を含有するエポキシ樹脂１００重量部を
含み；
第２液Ｂは、チオール硬化剤１１０〜１２０重量部を含み、
ここで、-Ｏ-Ｏ-構造を含有する過酸化物０.０３〜３重量部が、液Ａ、液Ｂおよび／また
は第３の別個の部分Ｃに含まれる、請求項１に記載のエポキシ接着剤。
【請求項１０】
０.０５〜５重量部の硬化促進剤が、液Ａ、液Ｂおよび／または別個の第３液Ｃに含ま
れる、請求項９に記載のエポキシ接着剤。
【請求項１１】
第１液は、１分子中に２個以上のエポキシ基を含有するエポキシ樹脂１００重量部；-
Ｏ-Ｏ-構造を含有する過酸化物０.２〜２重量部；シラン６〜７重量部、および、チキソ
トロピー剤４〜５重量部を含み；
第２液は、チオール硬化剤１１３〜１１８重量部、促進剤０.２〜５重量部、および、
フィラー１２〜１６重量部を含む、
請求項９または１０に記載のエポキシ接着剤。
【請求項１２】
過酸化物は、Ｒ１-Ｏ-Ｏ-Ｒ２［式中、Ｒ１およびＲ２は、それぞれ独立して、水素原
子、１〜１０個の炭素原子のアルキル基および１個以上のフェニル基を含む芳香族基から
選択され、場合により、Ｒ１、Ｒ２および-Ｏ-Ｏ-の間にカルボニル基が存在する］で表
される式を有する、請求項９または１１に記載のエポキシ接着剤。
【請求項１３】
チオール硬化剤は、１分子中に１個以上の-Ｒ３-ＳＨ基を含有し、Ｒ３は、２〜１６個
の炭素原子を含むアルキレン基、または、芳香族基である、請求項９〜１２のいずれかに
記載のエポキシ接着剤。
【請求項１４】
１分子中に２個以上のエポキシ基を含有するエポキシ樹脂を含む第１液Ａと、チオール
硬化剤を含む第２液Ｂとを混合することにより製造されるエポキシ接着剤の、ゲル化時間
を延長する方法であって、該第１液Ａおよび／または第２液Ｂは、-Ｏ-Ｏ-構造を含有す
る過酸化物を含む、方法。
【請求項１５】
１分子中に２個以上のエポキシ基を含有するエポキシ樹脂を含む第１液Ａと、チオール
硬化剤を含む第２液Ｂとを混合することにより製造されるエポキシ接着剤の、ゲル化時間
を延長する方法であって、-Ｏ-Ｏ-構造を含有する過酸化物を含む第３液Ｃが加えられる
、方法。
【請求項１６】
エポキシ接着剤の少なくとも１つの液が、少なくとも１種の硬化促進剤を含有する、請
求項１４または１５に記載の方法。
【請求項１７】
１分子中に２個以上のエポキシ基を含有するエポキシ樹脂を含む第１液Ａと、チオール
硬化剤を含む第２液Ｂとを混合することにより製造されるエポキシ接着剤のゲル化時間を
延長するための、-Ｏ-Ｏ-構造を含有する過酸化物の使用。
【請求項１８】
エポキシ接着剤の少なくとも１つの液が、少なくとも１種の硬化促進剤を含有する、請
求項１７に記載の使用。
【手続補正２】
【補正対象書類名】明細書
【補正対象項目名】０００４
【補正方法】変更
【補正の内容】
【０００４】
特開１９９６−２６９２０３号には、主鎖においてポリエーテル部分を有し、末端に３
個以上のヒドロキシル基を有するポリオールに、エピハロヒドリンを添加することにより
得られるハロゲン末端化ポリエーテルポリマーを、アミド中で水硫化アルカリおよび／ま
たは多硫化アルカリと反応させて得た、チオール基含有ポリエーテルポリマーが開示され
ている。このポリエーテルポリマーを含有するエポキシ樹脂組成物は好ましい硬化性を有
するが、かかるエポキシ樹脂組成物をエポキシ樹脂用の硬化剤として使用する際、ゲル化
時間が非常に短いため、エポキシ樹脂と、硬化剤であるチオール化合物とを互いに混合す
る際中に硬化が開始され、そのため、作業条件が制限されることが指摘されている。
【手続補正３】
【補正対象書類名】明細書
【補正対象項目名】００３９
【補正方法】変更
【補正の内容】
【００３９】
本発明において使用される過酸化物は、Ｒ１-Ｏ-Ｏ-Ｒ２［式中、Ｒ１およびＲ２は、
それぞれ独立して、水素原子、１〜１０個の炭素原子のアルキル基および１個以上のフェ
ニル基を含む芳香族基から選択され、場合により、Ｒ１、Ｒ２および-Ｏ-Ｏ-の間にカル
ボニル基が存在する］のような構造を示す。市販され入手可能な製品の例は、以下を含む
：ベンゾイルペルオキシド（CAS No.９４-３６-０）、TRIGONOX(登録商標)C-50D、TRIGON
OX(登録商標)P-50S、PERKADOX(登録商標)L-50S、PERKADOX(登録商標)PD-50S（Akzo Nobel
Chemical Co. Ltd製）、tert-アミルペルオキシ-３,５,５-トリメチルヘキサノエート、
tert-ブチルペルオキシアセテート、１,１-ジ-(tert-ブチルペルオキシ)シクロヘキサン
、１,１,-ジ-(tert-ブチルペルオキシ)-３,３,５-トリメチルシクロヘキサン、メチルエ
チルケトンペルオキシド、２,５-ジメチル-２,５-ジ-(tert-ブチルペルオキシ)ヘキシ
ン-３、tert-ブチル-モノペルオキシマレエート、３-クロロペルオキシ安息香酸、ジベン
ゾイルペルオキシド、ジ-４-クロロベンゾイルペルオキシド、２,２-ジヒドロペルオキシ
プロパン、２,５-ジメチル-２,５-ジ-(ベンゾイルペルオキシ)ヘキサン、ジ-(２-フェノ
キシエチル)ペルオキシジカーボネート、ジコハク酸ペルオキシド、３,３,６,６,９,９-
ヘキサメチル-１,２,４,５-テトラオキサシクロノナン、２,５-ジメチル-２,５-ジ-(ベン
ゾイルペルオキシ)ヘキサン、ジ-(２-フェノキシエチル)ペルオキシジカーボネート、ジ
コハク酸ペルオキシド、tert-アミルペルオキシベンゾエート、ｎ-ブチル-４,４-ジ-(ter
t-ブチルペルオキシ)吉草酸エステル、tert-ブチルヒドロペルオキシド、ジ-tert-ブチル
ペルオキシド、tert-ブチル-モノペルオキシマレエート、tert-ブチルペルオキシアセテ
ート、tert-ブチルペルオキシベンゾエート、tert-ブチルペルオキシイソプロピルカーボ
ネート、tert-ブチルペルオキシ-２-メチルベンゾエート、１,１-ジ-(tert-アミルペルオ
キシ)シクロヘキサン、２,２-ジ-(tert-ブチルペルオキシ)ブタン、１,１-ジ-(tert-ブチ
ルペルオキシ)-３,３,５-トリメチルシクロヘキサン、２,５-ジメチル-２,５-di-(tert-
ブチルペルオキシ)ヘキシン-３-エチル、３,３-ジ-(tert-ブチルペルオキシ)ブ
チレート、シクロヘキサノンペルオキシド、２,５-ジメチル-２,５-ジ(ベンゾイルペルオ
キシ)ヘキサン、２,５-ジメチル-２,５-ジヒドロペルオキシヘキサンアセチルアセトンペ
ルオキシド、アセチルベンゾイルペルオキシド(Aldrich chemical company製)。適当な過酸化物はこれらの化合物に限定されない。好ましくは、過酸化物Ｒ１-Ｏ-Ｏ-Ｒ２中、Ｒ１、Ｒ２および-Ｏ-Ｏ-の間にカルボニル基が存在する。本発明の接着剤を調製する際、
過酸化物が溶液として使用され、使用する溶媒は、酢酸エチル、アセトン、クロロホルム
などを含む。
【手続補正４】
【補正対象書類名】明細書
【補正対象項目名】００４１
【補正方法】変更
【補正の内容】
【００４１】
本発明において１種以上のシランを任意に使用してよく、かかるシランは、アミン基、
アルキル基またはエポキシ基で終端していてよい。市販製品としては、KH550、KH560（Ch
inese Chemical Company製）、Glymo(登録商標)、Wetlink(登録商標)78（Evonik製）、A-1106、A-1702、A-1002（Momentive Co.Ltd製）が挙げられる。シラン製品はこれらの製品に限定されない。これらの樹脂を単独で使用してよく、２種以上を任意の割合で組み合わせて使用してもよい。１つの態様において、１種以上のシランが、本発明のエポキシ接着剤の第１液Ａ中に含有される。